(57)【要約】  情報処理端末が情報共有システム（ＷＥＢ）を介して外部サーバと接続されて、ツイッター、ソーシャルネットワーキングサービス、テキスト投稿サービスなどを実施する。情報処理端末において、所望のコンテンツ（例えば、テレビ放送コンテンツ）を受信し、ＷＥＢ上に投稿された投稿情報を外部サーバから閲覧し、投稿情報を分類するための少なくとも１つの分類情報（例えば、ハッシュタグ）を予め記憶された複数の分類情報から選択するか、或いは、外部サーバを参照して取得し、所望のコンテンツと連携して少なくとも１つの分類情報を同時に表示する。この情報処理端末では、所望のコンテンツを表示するコンテンツ表示画面と外部サーバから閲覧した複数の投稿情報を表示する投稿サービス表示画面とを同時に表示する。これにより、情報処理端末におけるユーザの操作性を向上する。
2013133108.tif 000002
【特許請求の範囲】
【請求項１】
任意に入力されるコンテンツ及び情報共有システム上に投稿された投稿情報を選択的に出力する出力部と、
前記出力部において出力可能なコンテンツに応じて投稿情報を分類するための複数の分類情報を記憶する記憶部と、
少なくとも１つの分類情報を選択的に前記出力部に送出する出力制御部とを具備する情報処理端末。
【請求項２】
前記出力部が現在出力しているコンテンツの属性を示すコンテンツ関連情報に基づいて前記記憶部を参照してコンテンツに関連付けられた投稿情報を分類するための複数の分類情報から前記出力部に出力すべき分類情報を決定する決定部を更に具備した請求項１記載の情報処理端末。
【請求項３】
前記決定部は、コンテンツ関連情報に対応付けられた投稿情報に含まれる分類情報を抽出して前記出力部に出力すべき投稿情報と決定するようにした請求項２記載の情報処理端末。
【請求項４】
前記出力部に出力された分類情報を所望の投稿情報に含めて前記情報共有システムに投稿する投稿部を更に具備した請求項１記載の情報処理端末。
【請求項５】
前記出力部に出力された分類情報に基づいて、複数の投稿情報から当該分類情報に対応する投稿情報を検索する検索部を更に具備し、前記出力制御部は前記検索部により検索された投稿情報を前記出力部に送出するようにした請求項１記載の情報処理端末。
【請求項６】
前記出力制御部は、前記検索部により検索された投稿情報と、分類情報に関連付けられたコンテンツとを対応付けて前記出力部に送出するようにした請求項５記載の情報処理端末。
【請求項７】
前記出力部がコンテンツを出力するとともに投稿情報を受け付ける状態、或いは、前記出力部がコンテンツを出力するとともに投稿情報を出力する状態において、前記出力制御部は当該投稿情報に対応する分類情報を前記出力部に送出するようにした請求項１記載の情報処理端末。
【請求項８】
投稿情報の投稿指示又は投稿情報の検索指示を示すユーザ操作が前記出力部に対して行なわれた場合、前記出力制御部は当該投稿情報に対応する分類情報を前記出力部に送出するようにした請求項１記載の情報処理端末。
【請求項９】
任意に入力されるコンテンツ及び情報共有システム上に投稿された投稿情報を選択的に出力し、
出力可能なコンテンツに応じて投稿情報を分類するための複数の分類情報を記憶し、
少なくとも１つの分類情報を選択的に出力するようにした情報処理方法。
【請求項１０】
情報共有システムを介して外部サーバと接続される情報処理端末であって、
所望のコンテンツを受信し、
前記情報共有システム上に投稿された投稿情報を前記外部サーバから閲覧し、
投稿情報を分類するための少なくとも１つの分類情報を予め記憶された複数の分類情報から選択するか、或いは、前記外部サーバを参照して取得し、
所望のコンテンツと連携して少なくとも１つの分類情報を同時に表示するようにしたコンテンツ及び投稿情報連係方法を搭載した情報処理端末。
【請求項１１】
所望のコンテンツを表示するコンテンツ表示画面と前記外部サーバから閲覧した複数の投稿情報を表示する投稿サービス表示画面とを同時に表示するようにした請求項１０記載の情報処理端末。
【請求項１２】
コンテンツ毎に予め設定されたコンテンツ関連情報に対応して予め登録された登録ハッシュタグと、投稿情報毎に設定された投稿ハッシュタグが前記外部サーバに記憶されており、ハッシュタグリクエスト信号を前記外部サーバに送信して、登録ハッシュタグ或いは投稿ハッシュタグを前記外部サーバから取得するようにした請求項１１記載の情報処理端末。
【請求項１３】
前記外部サーバにおいて、投稿ハッシュタグ毎の投稿数がカウントされており、投稿数が多い投稿ハッシュタグを前記外部サーバから取得するようにした請求項１２記載の情報処理端末。
【発明の詳細な説明】
【技術分野】
【０００１】
本発明は、情報共有システム（ＷＥＢ）におけるコンテンツ及び投稿情報連携方法、並びに情報処理端末に関する。
本願は、２０１２年３月８日に、日本国に出願された特願２０１２−５２２３８号に基づき優先権を主張し、その内容をここに援用する。
【背景技術】
【０００２】
近年、スマートフォン等の携帯端末やタブレット型情報処理端末が普及している。また、テレビジョン放送波を受信する機能や、インターネット接続機能を搭載した携帯端末も普及している。ユーザ（又は加入者）は携帯端末を用いて映像及び音声コンテンツを視聴したり、閲覧をすることができる。また、携帯端末のユーザはツイッター（登録商標）やフェイスブック（登録商標）等のソーシャルネットワーキングサービスを利用して、画像やテキストデータを投稿することにより、ＷＥＢ（インターネット上の情報共有システム）上において最近の状況を複数のユーザ間で共有したり、各ユーザが現在思っていることを相互に共有することができる。【０００３】
特許文献１は、映像コンテンツ受信装置及びコンテンツ情報転送方法を開示しており、これはインターネット経由で配信された映像コンテンツを受信して復号したり、コンテンツ情報の転送先となる携帯端末を指定して、当該携帯端末に対してコンテンツ情報をネットワーク通信又は近距離通信により送信する技術である。
【先行技術文献】
【特許文献】
【０００４】
【特許文献１】特開２０１０−２７３０６０号公報
【発明の概要】
【発明が解決しようとする課題】
【０００５】
しかし、携帯端末のユーザがソーシャルネットワーキングサービスを利用してテキストデータを投稿する場合や、所望の投稿情報を検索する場合、当該携帯端末の操作ボタンやタッチパネル上に表示される操作画面を用いて文字や数字を入力しなければならず、ユーザ側の操作性に問題があった。【０００６】
本発明は、上記の課題を解決するため、情報共有システム（ＷＥＢ）において画像及び音声コンテンツと投稿情報を連携する方法、並びにコンテンツ及び投稿情報連携方法を組み込んだ情報処理端末を提供することを目的とする。
【課題を解決するための手段】
【０００７】
本発明は、任意に入力されるコンテンツ及び情報共有システム上に投稿された投稿情報を選択的に出力する出力部と、出力部において出力可能なコンテンツに応じて投稿情報を分類するための複数の分類情報（例えば、ハッシュタグ）を記憶する記憶部と、少なくとも１つの分類情報を選択的に出力部に送出する出力制御部とを具備する情報処理端末に関する。【０００８】
本発明は、任意に入力されるコンテンツ及び情報共有システム上に投稿された投稿情報を選択的に出力し、出力可能なコンテンツに応じて投稿情報を分類するための複数の分類情報を記憶し、少なくとも１つの分類情報を選択的に出力するようにした情報処理方法に関する。【０００９】
本発明は、情報共有システムを介して外部サーバと接続される情報処理端末に関しする。情報処理端末は、所望のコンテンツを受信し、情報共有システム上に投稿された投稿情報を外部サーバから閲覧し、投稿情報を分類するための少なくとも１つの分類情報を予め記憶された複数の分類情報から選択するか、或いは、外部サーバを参照して取得し、所望のコンテンツと連携して少なくとも１つの分類情報を同時に表示するようにしたコンテンツ及び投稿情報連係方法を搭載する。
【発明の効果】
【００１０】
本発明によれば、所望のコンテンツに関連する情報を情報端末のユーザに提供することができ、例えば、ソーシャルネットワーキングサービスにおいてテキストデータなどを投稿したり、或いは、他社の投稿情報を閲覧する際に、ユーザは情報処理端末に表示される分類情報（例えば、ハッシュタグ）を選択するという簡単な操作により自動的にコンテンツと投稿情報とを連携して表示することができる。このため、情報処理端末におけるユーザの操作性を向上することができる。
【図面の簡単な説明】
【００１１】
【図１】本発明の実施例に係る情報処理端末が適用される通信ネットワークシステムの概略を示す構成図である。
【図２】本発明の実施例に係る情報処理端末としての携帯端末の基本的な構成要素を示すブロック図である。
【図３】携帯端末の表示部にコンテンツ表示画面と投稿サービス表示画面とを表示した同時表示モードの一例を示す図である。
【図４】サーバの構成の一例を示すブロック図である。
【図５】サーバの放送コンテンツ情報テーブルの記憶内容の一例を示す表である。
【図６】サーバのコンテンツ関連ハッシュタグテーブルの記憶内容の一例を示す表である。
【図７】サーバの投稿情報テーブルの記憶内容の一例を示す表である。
【図８】サーバの投稿ハッシュタグテーブルの記憶内容の一例を示す表である。
【図９】携帯端末とサーバとの間に適用されるコンテンツ及び投稿情報連携方法を示すフローチャートである。
【図１０】携帯端末とサーバとの間に適用されるコンテンツ及び投稿情報連携方法の変形例を示すフローチャートである。
【図１１】本発明に係る情報処理システムの最小構成を示すブロック図である。
【発明を実施するための形態】
【００１２】
図１は、本発明の好適な実施例に係る情報共有システム（ＷＥＢ）或いは、通信ネットワークシステムの概要を示す。本実施例では、情報処理端末として携帯端末１（１Ａ、１Ｂ）を通信ネットワークシステムに適用するものである。本発明はこれに限定されるものではなく、情報処理端末としてスマートフォン、携帯ゲーム機、ＰＤＡ（Ｐｅｒｓｏｎａｌ  Ｄｉｇｉｔａｌ  Ａｓｓｉｓｔａｎｔ）、タブレット型ＰＣ、ノート型ＰＣ（Ｐｅｒｓｏｎａｌ  Ｃｏｍｐｕｔｅｒ）を適用してもよい。
【００１３】
携帯端末１は、例えば、通話機能、電子メール機能、インターネット接続機能（Ｗｅｂアクセス機能）、デジタルテレビジョン放送（例えば、ワンセグ地上デジタルテレビジョン放送）を受信して視聴可能なテレビジョン機能（即ち、テレビジョン放送受信機能及び録画機能）を搭載している。録画機能は、テレビジョン放送を受信した映像コンテンツを録画するのみならず、音声コンテンツを録音する機能も含む。
【００１４】
携帯端末１Ａは、最寄の基地局２Ａ及び交換機２Ｂを介して、無線通信網（移動体通信網）２に接続される。これにより、携帯端末１Ａは無線通信網２を介して他の携帯端末１Ｂとの間で通話可能な状態となる。携帯端末１Ａが無線通信網２を介してインターネット３に接続されると、所望のＷｅｂサイトにアクセスして所望の情報を閲覧可能となる。また、携帯端末１Ａは動画、静止画、音楽、ニュースなどのマルチメディアコンテンツデータをインターネット３や無線通信網２を介してサーバ４からダウンロードして再生するストリーミング機能も搭載している。
【００１５】
また、携帯端末１Ａはテレビ局５の送信アンテナ６から発信された地上波デジタル放送のコンテンツデータを受信することができる。携帯端末１Ａは、インターネットラジオのように無線通信網２とインターネット３を介してサーバ４からデジタル放送コンテンツをダウンロードして受信することもできる。このように、携帯端末１Ａはテレビジョン機能により放送コンテンツデータを受信したり、インターネット接続機能によりストリーミングコンテンツデータをダウンロードすることができる。更に、携帯端末１Ａは着脱自在な可搬型メモリカードなどの記録メディア７から各種コンテンツデータを読み取ったり、Ｂｌｕｅｔｏｏｔｈ（登録商標）通信や赤外線通信などの近距離通信を介して他の携帯端末１Ｂや外部機器８から各種のコンテンツデータを取得することができる。
【００１６】
図２は、携帯端末１Ａの基本的な構成要素を示したブロック図である。携帯端末１Ａは、タッチパネル１０１、制御部１０２、記憶部１０３、アンテナ１０４、テレビジョン放送受信部１０５、通信部１０６、タイマー１０７、及びスピーカＳＫを具備する。携帯端末１Ａが具備する構成要素や機能の一部をサーバ４に搭載するようにしてもよい。例えば、制御部１０２の機能をサーバ４に搭載してもよい。
【００１７】
タッチパネル１０１は、操作部１１１と表示部１１２を具備する。操作部１１１は、ユーザ操作を受け付けるセンサを備え、当該センサの検出結果を制御部１０２に転送する。操作部１１１は、操作画面上に接触するユーザの指の接触位置を一定の時間間隔毎にセンサで検出し、当該センサの検出結果を出力する。本発明はこれに限定されるものではなく、例えば、操作画面に近接するユーザの指や操作指示部材（例えば、スタイラスペン）の位置を非接触センサにより検出するようにしてもよい。
【００１８】
表示部１１２は、制御部１０２の制御下、所定の表示内容を表示する。表示部１１２は、操作部１１１とともに一体的にタッチパネル１０１を構成しており、操作部１１１がユーザ操作を受け付ける際の操作画面を表示する。また、表示部１１２は出力部を構成する。
【００１９】
制御部１０２は、記憶部１０３に格納されている各種情報を読み出し、携帯端末１Ａの機能を統括的に制御する。制御部１０２は、操作判定部１２１、出力制御部１２２、放送データ制御部１２３、音声信号処理部１２４、登録部１２５、及び投稿部１２６を具備する。
【００２０】
操作判定部１２１は、操作部１１１の検出結果に基づいて、操作部１１が受け付けたユーザ操作を判定する。例えば、操作部１１１の検出結果が示すユーザの指の接触位置や接触時間を参照して、操作判定部１２１はユーザの指の動きと、ユーザ操作を受け付けた際に表示部１１２に表示されている画像との位置関係に基づいてユーザの指の動きにより特定されるユーザ操作を判定する。
【００２１】
例えば、操作部１１１において表示画面のアイコンやテキストにユーザの指が接触したことを検出すると、操作判定部１２１はユーザの指の動きがタッチ操作であると判定する。また、操作部１１１においてユーザのタッチ操作により所望のアイコンや所望の操作領域が指示されている状態のまま、ユーザの指が所望の方向に移動したことを検出すると、操作判定部１２１はユーザの指の動きがスライド操作であると判定する。また、操作判定部１２１はタイマー１０７によって計時される時間情報に基づいて、操作部１１１が受け付けたユーザ操作を判定する。
【００２２】
操作判定部１２１は、その判定結果に基づいて、ユーザ操作に応じた内容を表示するように出力制御部１２２に指示してもよい。例えば、ユーザ操作がタッチ操作であると判定した場合、操作判定部１２１はユーザの指が接触した位置を示すアイコンを操作画面に重畳的に表示するよう出力制御部１２２に指示してもよい。或いは、操作判定部１２１はユーザの指が接触した表示画面上の接触位置に指アイコンを表示するよう出力制御部１２２に指示してもよい。
【００２３】
操作判定部１２１の判定結果が示すユーザ操作に基づいて、出力制御部１２２は表示部１１２を制御して所定の画像を表示させたり、音声処理部１２４を制御してスピーカＳＫから所定の音声を発生させる。出力制御部１２２は、所望のコンテンツを表示部１１２に表示するコンテンツ画面表示処理と、ＷＥＢ上に投稿情報を投稿する投稿サービス表示画面を表示部１１２に表示する投稿画面表示処理を実行する。また、出力制御部１２２はユーザ設定に応じて同時表示モードと単独表示モードとを切り替えることができる。同時表示モードでは、コンテンツ表示画面と投稿サービス表示画面とを一画面に並べて表示部１１２に表示し、単独表示モードでは、コンテンツ表示画面と投稿サービス表示画面のいずれか一方を表示部１１２に表示する。具体的には、ユーザが同時表示モード又は単独表示モードのいずれかを指定する設定を行なうと、出力制御部１２２は指定されたモードに従って、表示部１１２に表示する画面の種類を切り替える。
【００２４】
ユーザが操作部１１１を操作して録画コンテンツを再生することを指示すると、出力制御部１２２は記憶部１０３からユーザにより指定されたコンテンツデータを読み出し、当該コンテンツデータに基づく画像を表示部１１２に表示させるとともに、当該コンテンツデータに基づく音声を音声信号処理部１２４を介してスピーカＳＫから発生させる。
【００２５】
本実施例において、デジタル放送のコンテンツデータを受信してリアルタイムで表示するリアルタイムモードと、当該コンテンツデータを一旦記憶部１０３に格納して、その後表示する録画モードとを設定することが可能である。リアルタイムモードでは、放送データ制御部１２３はテレビ放送受信部１０５から入力するデジタル変調されたコンテンツデータを表示部１１２に表示するよう出力制御部１２２に指示する。録画モードでは、放送データ制御部１２３はテレビ放送受信部１０５から入力するデジタル変調されたコンテンツデータを記憶部１０３に格納する。
【００２６】
音声信号処理部１２４は、出力制御部１２２によって復調された受信ベースバンド信号を入力し、当該受信ベースバンド信号に基づいてスピーカＳＫから音声を発生させる。
【００２７】
登録部１２５は、通信部１０６を介して受信した情報や、放送データ制御部１２３から出力制御部１２２を経由して入力したコンテンツデータを記憶部１０３に格納する。
【００２８】
投稿部１２６は、ユーザが作成した投稿情報を通信部１０６を介してＷＥＢ上に投稿する。投稿部１２６の具体的な処理については、図３を参照して後述する。
【００２９】
記憶部１０３は、携帯端末１の処理に用いる種々の情報を記憶する。記憶部１０３は、例えば、プログラム記憶領域１３１、一時記憶領域１３２、コンテンツ記憶領域１３３、及び投稿関連記憶領域１３４を含む。記憶部１０３は、例えば、ＳＤカード（Ｓｅｃｕｒｅ  Ｄｉｇｉｔａｌ  Ｃａｒｄ）やＩＣカード等の着脱自在な可搬型メモリ（記録メディア）を含むようにしてもよい。或いは、記憶部１０３を外部サーバ（不図示）に搭載するようにしてもよい。
【００３０】
プログラム記憶領域１３１は、ユーザ操作に応じて本実施例の機能を実現するためのプログラムや各種のアプリケーションを記憶する。一時記憶領域１３２は、携帯端末１が動作するために必要な各種の情報を一時的に記憶する作業領域である。コンテンツ記憶領域１３３は、コンテンツデータを記憶するものであり、例えば、テレビ放送受信部１０５が受信したテレビ放送のコンテンツデータを記憶する。コンテンツ記憶部１３３は、コンテンツデータとともに受信したコンテンツＩＤと、当該コンテンツデータの属性を示すコンテンツ関連情報とを記憶している。コンテンツＩＤとは、各コンテンツデータに割り当てられた固有の識別情報である。コンテンツ関連情報には、例えば、当該コンテンツデータであるテレビ番組を放送しているテレビ局の名前や、テレビ番組内容を示す情報（例えば、出演者名やジャンル名）が含まれる。投稿関連記憶領域１３４は、ＷＥＢ上に投稿される投稿情報やその関連情報を格納する。
【００３１】
アンテナ１０４は、テレビ放送用に割り当てられた周波数の電波を受信し、受信電波が示すテレビジョン放送信号をテレビ放送受信部１０５に送出する。テレビ放送受信部１０５はアンテナ１０４とともにテレビ機能を構成するものであり、携帯端末１Ａ向けのワンセグ地上波デジタルテレビ放送のコンテンツデータのほか、当該コンテンツデータに関連するコンテンツ関連情報や電子番組表（ＥＰＧ情報：Ｅｌｅｃｔｒｏｎｉｃ  Ｐｒｏｇｒａｍ）などの番組情報も含めて受信する。テレビ放送受信部１０５は、テレビアンテナ１０４によって受信したテレビ放送データから予め選局されているチャンネルの放送データを抽出するアナログ回路部と、当該放送データに対してデジタル変調を行なうデジタル回路部とを具備する。デジタル回路部は、例えば、放送データをＯＦＤＭ（直交周波数分割多重）復調したり、多重化されている放送データから映像、音声、データ（例えば、文字データ）を分離して復号化したり、圧縮データの解凍などを行なう。
【００３２】
通信部１０６は、基地局２Ａと交換機２Ｂを介して、無線通信網２やインターネット３と接続される。通信部１０６は、例えば、インターネット３を介してサーバ４から送信される投稿情報等を受信する。タイマー１０７は、現在の日時を計時して日時情報を出力する。
【００３３】
次に、図３を参照して、タッチパネル１０１の表示部１１２に表示される画面の一例について説明する。図３は、コンテンツ表示画面と投稿サービス表示画面を同時に表示する同時表示モード時の表示画面の一例を示す。図３に示す通り、表示部１１２の画面全体を水平方向に２分割して、左半分をコンテンツ表示画面としてコンテンツデータを表示し、右半分を投稿サービス表示画面としてＷＥＢ上に投稿する投稿情報を表示する。ここでは、野球中継の番組をコンテンツ表示画面に表示するとともに、当該野球中継番組に関連する投稿情報を投稿サービス表示画面に表示する。また、投稿サービス表示画面にはツイッターが提供するサービス内容が表示されている。この投稿サービス表示画面には複数の投稿情報が並んで表示されている。投稿情報は、投稿時間に応じて時系列に並べて表示されている。
【００３４】
投稿サービス表示画面には、投稿情報を入力する入力欄１００１、投稿ボタン１００２、及び分類情報指定欄１００３が表示されている。入力欄１００１、投稿ボタン１００２、及び分類情報指定欄１００３は、ユーザのタッチ操作やスライド操作を受け付ける操作画面である。入力欄１００１がユーザのタッチ操作により指定されると、操作判定部１２１はユーザにより投稿情報の入力開始指示がなされたと判定する。投稿ボタン１００２がユーザのタッチ操作により指定されると、操作判定部１２１はユーザにより投稿情報をツイッター上に投稿する指示がなされたと判定する。また、分類情報指定欄１００３に表示されている分類情報（例えば、ハッシュタグ）がユーザのタッチ操作により指定されると、操作判定部１２１はユーザにより分類情報を入力欄１００１に入力する指示がなされたと判定する。分類情報指定欄１００３に表示しきれないほど多くのハッシュタグを表示する場合、ユーザは分類情報指定欄１００３に対してスライド操作を行なうことにより、投稿サービス表示画面の下部に隠れている他の分類情報を表示部１１２に表示させるようにしてもよい。
【００３５】
次に、投稿部１２６の機能について詳細に説明する。ユーザがタッチ操作により投稿サービス表示画面において投稿情報を入力する入力欄１００１を指定すると、投稿部１２６は投稿情報を受け付けるとともに、表示部１１２のコンテンツ表示画面上の映像コンテンツやスピーカＳＫが発生する音声コンテンツに関連するハッシュタグを要求するハッシュタグリクエスト信号を生成する。このハッシュタグリクエスト信号は、表示部１１２やスピーカＳＫにて再生中の映像・音声コンテンツを示すコンテンツＩＤと、投稿者を特定する投稿者ＩＤとを含む。投稿部１２６は、ハッシュタグリクエスト信号を通信部１０６を介してサーバ４に送信する。尚、投稿者ＩＤとして携帯端末１Ａを示す端末ＩＤを用いてもよい。
【００３６】
サーバ４はハッシュタグリクエスト信号を受信すると、当該ハッシュタグリクエスト信号に対応するハッシュタグを決定する。このハッシュタグ決定処理については後述する。出力制御部１２２はユーザによる投稿情報に入力開始指示を受けると、その際に再生されている映像・音声コンテンツに関連するハッシュタグをサーバ４から受信し、表示部１１２に表示する。
【００３７】
出力制御部１２２は、映像・音声コンテンツに関連するハッシュタグをサーバ４から受信して、分類情報指定欄１００３に表示するようにしてもよい。或いは、出力制御部１２２はハッシュタグを投稿情報に追加して受け付けられたものとして自動的に入力欄１００１に表示するようにしてもよい。出力制御部１２２により表示部１１２に表示されるハッシュタグは、サーバ４から受信するものに限られず、携帯端末１Ａの記憶部１０３に記憶されているものであってもよい。例えば、テレビ番組のコンテンツデータ受信時に放送局名、チャンネル番号、番組名を示す情報とともに受信するハッシュタグが記憶部１０３に格納される。テレビ番組のコンテンツを表示部１１２に表示している際には、当該テレビ番組と関連付けられたハッシュタグが既に記憶部１０３に格納される。テレビ番組のコンテンツを表示部１１２に表示した際、出力制御部１２２は表示部１１２に表示されているテレビ番組と関連付けられたハッシュタグを表示部１１２に表示することができる。
【００３８】
投稿情報の入力を受け付けている状態において、分類情報指定欄１００３に表示されたハッシュタグがユーザのタッチ操作により指定された場合、投稿部１２６はハッシュタグを投稿情報に追加して受け付ける。投稿部１２６は、現在作成中のテキスト中にハッシュタグを挿入したり、或いは、当該ハッシュタグをテキストの文末に付加するようにしてもよい。また、コンテンツに関するハッシュタグをサーバ４から受信した場合、投稿部１２６はユーザによるハッシュタグの指定を待たずに、自動的に当該ハッシュタグを投稿情報に追加するようにしてもよい。
【００３９】
また、投稿情報の入力を受け付けている状態において、表示部１１２においてコンテンツ表示画面の表示内容が切り換えられた場合、投稿部１２６は切り換えられた後のコンテンツ表示画面の表示内容を示すコンテンツＩＤと携帯端末１Ａの端末ＩＤとを含むハッシュタグリクエスト信号を生成し、サーバ４に送信するようにしてもよい。上記において、端末ＩＤを投稿者ＩＤとして用いたが、これに限定されるものではない。例えば、投稿者が投稿情報サービスにおいて登録しているユーザＩＤや、携帯端末１Ａにおいてログインした投稿者を特定するためのユーザＩＤを投稿者ＩＤとして用いてもよい。上述のように、投稿情報の入力を受け付けている状態において、コンテンツ表示画面の映像コンテンツやスピーカＳＫの音声コンテンツが変更された場合、出力制御部１２２は変更後の映像・音声コンテンツに関連するハッシュタグをサーバ４から受信して、分類情報指定欄１００３や入力欄１００１に表示することができる。
【００４０】
投稿ボタン１００２がユーザのタッチ操作により指定された場合、投稿部１２６は投稿情報に端末ＩＤを対応付けてサーバ４に送信する。このとき、投稿部１２６は表示部１１２に表示されるコンテンツ表示画面の映像コンテンツやスピーカＳＫより発生する音声コンテンツに関連するハッシュタグを要求するハッシュタグリクエスト信号を生成して、サーバ４に送信するようにしてもよい。サーバ４は、端末装置１Ａからの投稿情報を受け付けて、記憶部（不図示）に格納する。また、サーバ４は携帯端末１Ａと通信をして、その表示部１１２に表示されている投稿サービス表示画面の投稿情報を更新する。携帯端末１Ａからハッシュタグリクエスト信号を受信すると、サーバ４は当該ハッシュタグリクエスト信号に対応するハッシュタグを決定する。このハッシュタグ決定処理については後述する。上記のように、投稿情報の入力終了指示（即ち、投稿完了指示）を受け付けると、出力制御部１２２はその際に再生されている映像・音声コンテンツに関連するハッシュタグをサーバ４から受信して、表示部１１２に表示する。
【００４１】
本実施例において、投稿部１２６は現在再生中のコンテンツを示すコンテンツＩＤを含むハッシュタグリクエスト信号を生成する。このハッシュタグリクエスト信号に含まれるコンテンツＩＤは、現在放送されて再生中のテレビ放送コンテンツ、過去に放送されて録画されたテレビ放送コンテンツを再生するもの、或いは、ストリーミング配信されたコンテンツを示すものでもよい。
【００４２】
本実施例における投稿部１２６は上述の機能に限定されるものではない。例えば、投稿部１２６は出力可能なコンテンツを示すコンテンツＩＤを含むハッシュタグリクエスト信号を生成するようにしてもよい。出力可能なコンテンツとして、現在放送局から放送されているコンテンツ、現在携帯端末１Ａが受信しているコンテンツ、現在携帯端末１Ａが再生しているコンテンツ、或いは現在携帯端末１Ａが録画しているコンテンツが挙げられる。例えば、表示部１１２のコンテンツ表示画面に現在放送されているテレビ放送コンテンツを表示する場合、投稿部１２６はその時刻において他の放送局から放送されている裏番組のコンテンツを示すコンテンツＩＤを含むハッシュタグリクエスト信号を生成するものであってもよい。また、所望のコンテンツを録画しながら他の番組の放送コンテンツを表示部１１２のコンテンツ表示画面に表示している場合、投稿部１２６は録画中のコンテンツを示すコンテンツＩＤを含むハッシュタグリクエスト信号を生成するようにしてもよい。
【００４３】
表示部１１２のコンテンツ表示画面においてコンテンツを出力可能な状態において、ユーザが投稿サービス表示画面に過去の投稿情報を表示させる指示（即ち、投稿情報の閲覧指示）を行なうと、投稿部１２６は出力可能なコンテンツに関連するハッシュタグを要求するハッシュタグリクエスト信号をサーバ４に送信する。サーバ４から出力可能なコンテンツに関連するハッシュタグを受信すると、投稿部１２６は当該ハッシュタグを分類情報指定欄１００３に表示する。その後、ユーザがタッチ操作により分類情報指定欄１００３に表示されたハッシュタグを指定すると、投稿部１２６は当該ハッシュタグに対応する投稿情報を過去の投稿情報から抽出して送信するように要求する投稿閲覧リクエスト信号を生成する。この投稿閲覧リクエスト信号は、ユーザにより指定されたハッシュタグと、携帯端末１Ａの端末ＩＤとを含む。投稿部１２６は、投稿閲覧リクエスト信号に含まれるハッシュタグに基づくサーバ４の検索部（不図示）の検索結果を表示部１１２の投稿サービス表示画面に表示する。
【００４４】
本実施例に係る携帯端末１Ａは、出力可能なコンテンツに対応する分類情報（ハッシュタグ）を表示部１１２のコンテンツ表示画面に表示することができる。本実施例では、分類情報指定欄１００３を表示部１１２の投稿サービス表示画面に表示したが、これに限定されるものではない。分類情報指定欄１００３を表示部１１２のコンテンツ表示画面に表示するようにしてもよい。また、表示部１１２のコンテンツ表示画面に表示されているコンテンツに対応する分類情報（ハッシュタグ）を分類情報指定欄１００３に表示しているが、これに限定されるものではない。例えば、分類情報を直接入力欄１００１に表示して投稿情報として取り扱ってもよい。コンテンツ表示画面に表示されているコンテンツに対応した分類情報（ハッシュタグ）を表示部１１２に表示することにより、ユーザが分類情報を任意に選択できるようにしたり、或いは、投稿情報を自動的に入力するようにしてもよい。
【００４５】
次に、図４を参照してサーバ４について説明する。図４は、サーバ４の構成の一例を示すブロック図である。サーバ４は、操作部４０１、通信部４０２、記憶部４０３、制御部４０４、及び計時部４０５を具備する。サーバ４が具備する構成要素及び機能のうち、一部を携帯端末１Ａに搭載するようにしてもよい。例えば、サーバ４の制御部４０４の機能を携帯端末１Ａに搭載するようにしてもよい。操作部４０１は、サーバ４の管理者の操作を受け付けて、操作信号を出力する。通信部４０２は、インターネット３と無線通信網２を介して携帯端末１Ａと通信を行う。記憶部４０３は、放送コンテンツ情報テーブル４３１、コンテンツ関連ハッシュタグテーブル４３２、投稿情報テーブル４３３、及び投稿ハッシュタグテーブル４３４を具備する。
【００４６】
図５は、放送コンテンツ情報テーブル４３１の記憶内容の一例を示す。放送コンテンツ情報テーブル４３１は、コンテンツＩＤ、放送時間帯、及びコンテンツ関連情報を対応付けて格納する。放送コンテンツとしては、デジタル放送されるテレビ番組の映像・音声コンテンツや、インターネットラジオや音楽配信の音声コンテンツが挙げられる。以下、放送コンテンツがデジタル放送されたテレビ番組の映像・音声コンテンツである場合について説明する。放送時間帯とは、放送コンテンツが放送される所定の時間帯、或いは放送コンテンツが配信される所定の時間帯をいう。コンテンツ関連情報とは、放送コンテンツに関連する所定の情報をいう。放送コンテンツがテレビ番組の映像・音声コンテンツである場合、コンテンツ関連情報には番組名、放送局名、出演者名、番組のジャンル名、番組に関するその他の情報が含まれる。このコンテンツ関連情報は、テレビ番組を放送する放送局や製作局によって予め決められた情報や、サーバ４の管理者により決定される情報であってもよい。
【００４７】
図６は、コンテンツ関連ハッシュタグテーブル４３２の記憶内容の一例を示す。コンテンツ関連ハッシュタグテーブル４３２は、コンテンツ関連情報、ハッシュタグ、及び関連ワードを対応付けて格納する。コンテンツ関連ハッシュタグテーブル４３２のコンテンツ関連情報は、放送コンテンツ情報テーブル４３１のコンテンツ関連情報と同一である。コンテンツ関連情報に複数の項目が含まれている場合、１つの項目がコンテンツ関連ハッシュタグテーブル４３２の各行に格納される。つまり、コンテンツ関連ハッシュタグテーブル４３２の各行にはコンテンツ関連情報として１つの項目が格納される。ハッシュタグは、各行のコンテンツ関連情報を特定する。関連ワードは、各行のコンテンツ関連情報に関連するキーワードである。この関連ワードは、各行のコンテンツ関連情報に興味や関心を示すユーザが投稿情報に書き込みそうな用語である。
【００４８】
ハッシュタグとは、ツイッターに用いられる分類情報である。ユーザがハッシュタグを含む投稿情報を携帯端末１Ａからサーバ４に投稿した場合、サーバ４はハッシュタグを含む投稿情報と当該ハッシュタグを含まない他の投稿情報とを分類することができる。また、複数の投稿情報からハッシュタグを含む投稿情報のみを検索する場合、ハッシュタグは検索キーとして用いられる。ハッシュタグを検索キーとする検索処理は、ハッシュタグが示すコンテンツ関連情報を投稿したいというユーザの積極的な意思がある場合に有益である。投稿情報に含まれるキーワードを用いた検索処理により当該キーワードに関連する投稿情報を検索することができるが、ユーザは所望のキーワードを含む文字列を投稿しなければ、検索処理を実行することができず、自由な文字列を用いて投稿する際の障害となる。また、投稿する文章とキーワードとを同等に表記するならば、当該キーワードが投稿する文章の理解の邪魔になる虞がある。このため、キーワードを用いずに投稿情報同士を関連付ける方法として、ハッシュタグが用いられる。このハッシュタグは、キーワードをアルファベット、漢字、平仮名、カタカナで表記した文字列の先頭にシャープ記号「♯」を付加したものであり、各キーワードの前後にスペースを入力するということ以外は、ユーザが自由に決定することができる。従って、キーワードとなる文字列はユーザにより生成されることもある。
【００４９】
図７は、投稿情報テーブル４３３の記憶内容の一例を示す。投稿情報テーブル４３３は、投稿者ＩＤ、投稿時間、投稿情報、及びハッシュタグを対応付けて格納する。投稿者ＩＤは、各投稿者を特定するための固有の識別情報である。本実施例では、ユーザが投稿情報を送信する携帯端末１Ａに割り当てられている固有の端末ＩＤを投稿者ＩＤとして用いている。投稿時間は、サーバ４が携帯端末１Ａからの投稿情報を受信した日時である。本実施例では、投稿情報テーブル４３３に格納される投稿情報として、ユーザの投稿情報から少なくともハッシュタグを除いた文字列が用いられる。尚、ハッシュタグは投稿情報に含まれている。
【００５０】
図８は、投稿ハッシュタグテーブル４３４の記憶内容の一例を示す。投稿ハッシュテーブル４３４は、投稿ハッシュタグと投稿数とを対応付けて格納する。投稿ハッシュタグテーブル４３４は、投稿情報に係る投稿時間帯毎に集計されたハッシュタグとその投稿数を格納する。尚、投稿ハッシュタグテーブル４３４に格納されるハッシュタグは所定の投稿時間帯において受信した投稿情報に含まれている。
【００５１】
図４において、制御部４０４は登録部４４１、集計部４４２、決定部４４３、及び検索部４４４を具備する。登録部４４１は、携帯端末１Ａから受信した投稿情報を記憶部４０３の投稿情報テーブル４３３に登録する。具体的には、サーバ４が通信部４０２を介して携帯端末１Ａから投稿情報を受信すると、登録部４４１は当該投稿情報の受信時に計時部４０５から出力される日時情報を登録時間として取得する。また、登録部４４１は登録情報に対応付けられている携帯端末１Ａの端末ＩＤを投稿者ＩＤとして取得する。更に、登録部４４１は投稿情報にハッシュタグが含まれているか否かを判定する。投稿情報にハッシュタグが含まれている場合、登録部４４１は当該投稿情報からハッシュタグを削除するとともに、そのハッシュタグを取得する。投稿情報と、当該投稿情報から取得した投稿時間及び投稿者ＩＤ（或いは、ハッシュタグを含む）を対応付けて投稿情報テーブル４３３に書き込む。
【００５２】
集計部４４２は、所定のタイミング毎に、投稿情報テーブル４３３に格納されている投稿情報を集計し、当該投稿情報に含まれるハッシュタグ毎の投稿数を産出する。集計部４４２により集計結果を得ると、投稿情報から取得されたハッシュタグとその投稿数とを対応付けて投稿ハッシュタグテーブル４３４に書き込む。
【００５３】
決定部４４３は、ハッシュタグリクエスト信号を携帯端末１Ａから受信すると、当該ハッシュタグリクエスト信号に対応するハッシュタグ（即ち、携帯端末１Ａの表示部１１２に表示するハッシュタグ）を決定する。本実施例において、決定部４４３は２つのハッシュタグ決定方法のいずれか一方、或いは、２つのハッシュタグ決定方法を組み合わせて実効する。尚、２つのハッシュタグ決定方法をどのように実行するかについては予め設定されている。
【００５４】
第１のハッシュタグ決定方法では、決定部４４３はコンテンツ関連ハッシュタグテーブル４３２に登録されているハッシュタグのいずれかを携帯端末１Ａから受信したハッシュタグリクエスト信号に対応するハッシュタグとして決定する。以下、第１のハッシュタグ決定方法を登録ハッシュタグ決定方法と称する。
第２のハッシュタグ決定方法では、決定部４４３は投稿情報テーブル４３３に登録されているハッシュタグのいずれかを携帯端末１Ａから受信したハッシュタグリクエスト信号に対応するハッシュタグとして決定する。以下、第２のハッシュタグ決定方法を投稿ハッシュタグ決定方法と称する。
【００５５】
次に、登録ハッシュタグ決定方法の一例について説明する。決定部４４３は、ハッシュタグリクエスト信号にコンテンツＩＤが含まれているか否かを判定する。具体的には、ハッシュタグリクエスト信号にコンテンツＩＤが含まれている場合、決定部４４３は記憶部４０３の放送コンテンツ情報テーブル４３１を参照して、コンテンツＩＤに対応するコンテンツ関連情報を取得する。このとき、決定部４４３はハッシュタグリクエスト信号の受信日時に相当する放送時間帯と、ハッシュタグリクエスト信号に含まれているコンテンツＩＤの双方に対応するコンテンツ関連情報を取得するようにしてもよい。また、決定部４４３は記憶部４０３のコンテンツ関連ハッシュタグテーブル４３２を参照して、コンテンツ関連情報に対応する登録ハッシュタグを取得する。決定部４４３は、登録ハッシュタグを携帯端末１Ａから受信したハッシュタグリクエスト信号に対応するハッシュタグとして決定する。
【００５６】
次に、投稿ハッシュタグ決定方法について説明する。上述と同様に、携帯端末１Ａから受信したハッシュタグリクエスト信号にコンテンツＩＤが含まれている場合、決定部４４３は記憶部４０３の放送コンテンツ情報テーブル４３１を参照して、コンテンツＩＤに対応するコンテンツ関連情報を取得する。また、決定部４４３は記憶部４０３のコンテンツ関連ハッシュテーブル４３２を参照して、コンテンツ関連情報に対応する関連ワードを取得する。更に、決定部４４３は記憶部４０３の投稿情報テーブル４３３を参照して、関連ワードを含む投稿情報を検索する。関連ワードを含む投稿情報の検索に成功した場合、決定部４４３は当該投稿情報に含まれている投稿ハッシュタグを投稿情報テーブル４３３を参照して取得する。その後、決定部４４３は投稿ハッシュタグを携帯端末１Ａから受信したハッシュタグリクエスト信号に対応するハッシュタグとして決定する。
【００５７】
検索部４４４は、携帯端末１Ａから受信した投稿閲覧リクエスト信号に対応する投稿情報を検索する。具体的には、検索部４４４は投稿情報テーブル４３３を参照して、投稿閲覧リクエスト信号に含まれるハッシュタグと対応付けられている投稿情報を検索する。その後、検索部４４４は検索結果（即ち、投稿情報）を携帯端末１Ａに送信する。
【００５８】
次に、図９を参照して携帯端末１Ａとサーバ４との間に適用されるコンテンツ及び投稿情報連携方法について説明する。図９に示すフローチャートでは、携帯端末１Ａとサーバ４が協働で各処理を実行しているが、これに限定されるものではない。サーバ４の構成要素及び機能の内、本実施例で必要とされる部分を携帯端末１Ａに搭載した場合には、当該携帯端末１Ａにより図９のフローチャートの全処理を実行するようにしてもよい。或いは、携帯端末１Ａの構成要素及び機能の内、本実施例で必要とされる部分をサーバ４に搭載した場合には、当該サーバ４により図９のフローチャートの全処理を実行するようにしてもよい。以下、図９のフローチャートの処理をステップ毎に説明する。
【００５９】
（ステップＳＴ１）
携帯端末１Ａの制御部１０２の操作判定部１２１は、ユーザがタッチパネル１０１の操作部１１１を操作してコンテンツ出力指示を行なったか否かを判定する。例えば、ユーザ操作によりタッチパネル１０１の表示部１１２にテレビ放送コンテンツを表示する指示が行なわれた場合、操作判定部１２１はユーザによるテレビ放送コンテンツの出力指示が行なわれたことを判定し、その判定結果を出力制御部１２２に送出する。表示部１１２に表示するテレビ放送コンテンツが現在放送局で放送されているものである場合、そのチャンネルが出力制御部１２２に指定される。表示部１１２に表示するテレビ放送コンテンツが過去に放送局により放送され、記憶部１０３に録画されたものである場合、その録画コンテンツが出力制御部１２２に指定される。
【００６０】
（ステップＳＴ２）
操作判定部１２１の判定結果に基づき、出力制御部１２２は表示部１１２や音声信号処理部１２４映像・音声コンテンツを送出する。例えば、放送データ制御部１２３がテレビ放送受信部１０５を介して受信したテレビ放送コンテンツデータに基づき、出力制御部１２２は当該テレビ放送コンテンツデータの映像データを表示部１１２に表示する。テレビ放送コンテンツデータに音声が含まれており、当該音声を再生することが携帯端末１Ａに設定されている場合、出力制御部１２２はテレビ放送コンテンツデータの音声データを音声信号処理部１２４に送出し、スピーカＳＫにより音声を再生させる。
【００６１】
（ステップＳＴ３）
次に、操作部１１１が受け付けたユーザ操作に基づいて、出力制御部１２２は出力可能コンテンツに関連するハッシュタグを表示部１１２に表示するか否かを判定する。詳細には、操作部１１１が受け付けたユーザ操作に基づいて、投稿部１２６は出力可能コンテンツに関連するハッシュタグをサーバ４に要求するハッシュタグリクエスト信号を生成するか否か決定する。本実施例では、出力可能コンテンツに関連するハッシュタグを表示するタイミングは予め決められている。このタイミングは、例えば、コンテンツ表示画面が表示部１１２に表示されている状態において、当該コンテンツ表示画面と投稿画面とを同時に表示部１１２に表示するよう指示するユーザ操作を携帯端末１Ａが受け付けた場合としてもよい。上記のタイミングは、コンテンツ表示画面が表示部１１２に表示された状態において、ツイッターなどのソーシャルネットワーキングサービスの開始を指示するユーザ操作が携帯端末１Ａに受け付けられた場合としてもよい。また、上記のタイミングは、コンテンツ表示画面と投稿画面とが同時に表示部１１２に表示されている状態において、ユーザが当該コンテンツ表示画面の表示内容の種類を変更した場合としてもよい。更に、上記のタイミングは、コンテンツ表示画面と投稿画面とが同時に表示部１１２に表示されている状態において、ユーザによる投稿情報が携帯端末１Ａに受け付けられた場合としてもよい。上記のタイミングは上記以外の場合としてもよい。例えば、映像コンテンツを表示部１１２に表示可能な状態、或いは、音声コンテンツをスピーカＳＫに送出可能な状態において、ユーザが投稿情報の投稿を開始する場合、ユーザが投稿情報を携帯端末１Ａに入力している場合、ユーザが携帯端末１Ａを操作して投稿情報をサーバ４に投稿する場合、或いは、ユーザが投稿情報の投稿操作を終了する場合が挙げられる。これらの場合において、ユーザ操作を実現するためのプログラムが携帯端末１Ａの制御部１０２により実行されているときが上記のタイミングに相当する。
【００６２】
（ステップＳＴ４）
出力制御部１２２が所望のコンテンツに関連するハッシュタグを表示部１１２に表示することを決定すると、投稿部１２６はハッシュタグリクエスト信号を生成して、通信部１０６を介してサーバ４に送信する。即ち、投稿部１２６は表示部１１２に表示されている映像コンテンツやスピーカＳＫにより再生されている音声コンテンツに基づいてハッシュタグリクエスト信号を生成する。例えば、ユーザが２０１１年１０月１０日１９時３０分にＡ放送局（不図示）の野球中継番組を見ている場合、投稿部１２６は当該野球中継番組を示すコンテンツＩＤ「０００１」と、携帯端末１Ａを示す端末ＩＤとを含むハッシュタグリクエスト信号を生成して、通信部１０６を介してサーバ４に送信する。
【００６３】
（ステップＳＴ５）
サーバ４は、携帯端末１Ａからハッシュタグリクエスト信号を受信したか否かを判定する。
（ステップＳＴ６）
サーバ４において、通信部４０２がハッシュタグリクエスト信号を受信すると、制御部４０４の決定部４４３は当該ハッシュタグリクエスト信号に対応するハッシュタグを決定する。
【００６４】
ここで、登録ハッシュタグ決定方法がサーバ４に設定されている場合、決定部４４３はコンテンツ関連ハッシュタグテーブル４３２に登録されているハッシュタグをハッシュタグリクエスト信号に対応するハッシュタグとして決定する。具体的には、決定部４４３はハッシュタグリクエスト信号に含まれるコンテンツＩＤ「０００１」に基づいて記憶部４０３の放送コンテンツ情報テーブル４３１を参照して、当該コンテンツＩＤ「０００１」に対応するコンテンツ関連情報「Ａ放送局、野球、阪神、巨人」を取得する。その後、決定部４４３はコンテンツ関連ハッシュタグテーブル４３２を参照して、コンテンツ関連情報「Ａ放送局、野球、阪神、巨人」に対応するハッシュタグ「♯ｙａｋｙｕ」を取得して、ハッシュタグリクエスト信号に対応するハッシュタグとして決定する。
【００６５】
一方、投稿ハッシュタグ決定方法がサーバ４に設定されている場合、決定部４４３は投稿情報テーブル４３３に登録されているハッシュタグをハッシュタグリクエスト信号に対応するハッシュタグとして決定する。具体的には、決定部４４３はハッシュタグリクエスト信号に含まれるコンテンツＩＤ「０００１」に基づいて記憶部４０３の放送コンテンツ情報テーブル４３１を参照して、当該コンテンツＩＤ「０００１」に対応するコンテンツ関連情報「Ａ放送局、野球、阪神、巨人」を取得する。その後、決定部４４３はコンテンツ関連ハッシュタグテーブル４３２を参照して、コンテンツ関連情報「Ａ放送局、野球、阪神、巨人」に対応する関連ワードを取得する。例えば、決定部４４３はコンテンツ関連情報「野球」に対応する関連ワード「投手、野手、中継ぎ、現役、引退、今季、復活、夢、ＦＡ宣言、ホームラン、ヒット、アウト、ボール、ブルゾン…」を取得する。その後、決定部４４３は投稿情報テーブル４３３を参照して、関連ワード「投手、野手、中継ぎ、現役、引退、今季、復活、夢、ＦＡ宣言、ホームラン、ヒット、アウト、ボール、ブルゾン…」のうちいずれか１つを含む投稿情報を検索する。
【００６６】
図７に示す投稿情報テーブル４３３には関連ワード「ヒット」を含む投稿情報「ナイスヒット！」が格納されている。決定部４４３は投稿情報テーブル４３３を参照して、投稿情報「ナイスヒット！」に含まれているハッシュタグ「＃ｓａｍｕｒａｉ＿ｊａｐａｎ」を取得する。決定部４４３は、投稿情報テーブル４３３のハッシュタグ「＃ｓａｍｕｒａｉ＿ｊａｐａｎ」をハッシュタグリクエスト信号に対応するハッシュタグとして決定する。
【００６７】
（ステップＳＴ７）
決定部４４３は、コンテンツ関連ハッシュタグテーブル４３２の登録ハッシュタグ或いは投稿情報テーブル４３３の投稿ハッシュタグを携帯端末１Ａの出力部（表示部１１２）に出力することを決定し、そのハッシュタグをハッシュタグリクエスト信号に含まれる端末ＩＤが示す携帯端末１Ａに送信する。
【００６８】
（ステップＳＴ８）
携帯端末１Ａは、サーバ４からハッシュタグを受信したか否か判定する。
（ステップＳＴ９）
携帯端末１Ａは、ハッシュタグを表示部１１２の投稿サービス表示画面に表示する。
【００６９】
尚、出力制御部１２２によって表示部１１２に表示されるハッシュタグはサーバ４から受信したものに限定されない。例えば、携帯端末１Ａがテレビ放送コンテンツデータの受信時に、放送局名、チャンネル番号、番組名とともにハッシュタグを受信している場合、図９のフローチャートにおいてステップＳＴ４乃至ＳＴ８を除外して、ステップＳＴ３に続いてステップＳＴ９を実行するようにしてもよい。即ち、携帯端末１Ａの出力制御部１２２は表示部１１２のコンテンツ表示画面の表示内容と関連付けられたハッシュタグを記憶部１０３から読み出して、投稿サービス表示画面に表示してもよい。
【００７０】
次に、図１０を参照して、携帯端末１Ａとサーバ４との間に適用されるコンテンツ及び投稿情報連携方法の変形例について説明する。図１０に示すフローチャートでは、携帯端末１Ａとサーバ４が協働で各処理を実行しているが、これに限定されるものではない。サーバ４の構成要素及び機能の内、本実施例で必要とされる部分を携帯端末１Ａに搭載した場合には、当該携帯端末１Ａにより図１０のフローチャートの全処理を実行するようにしてもよい。或いは、携帯端末１Ａの構成要素及び機能の内、本実施例で必要とされる部分をサーバ４に搭載した場合には、当該サーバ４により図１０のフローチャートの全処理を実行するようにしてもよい。以下、図１０のフローチャートの処理をステップ毎に説明する。
【００７１】
（ステップＳＴ１１）
携帯端末１Ａの制御部１０２の操作判定部１２１は、ユーザがタッチパネル１０１の操作部１１１を操作してハッシュタグに関連する投稿情報の検索指示を行なったか否か判定する。例えば、ユーザが表示部１１２の投稿サービス表示画面の分類情報指定欄１００３に表示されているハッシュタグにタッチ操作を行なった場合、操作判定部１２１はユーザによりタッチ操作されたハッシュタグに関連する投稿情報の検索指示が行なわれたことを判定し、その判定結果を出力制御部１２２に送出する。
【００７２】
（ステップＳＴ１２）
投稿部１２６は、ユーザにより指定されたハッシュタグに対応する投稿情報を過去の投稿情報から抽出して送信するようサーバ４に要求する投稿閲覧リクエスト信号生成する。この投稿閲覧リクエスト信号には、ユーザにより指定されたハッシュタグと携帯端末１Ａの端末ＩＤとを含む。
【００７３】
（ステップＳＴ１３）
出力制御部１２２は、操作判定部１２１の判定結果に基づいて、ユーザにより指定されたハッシュタグに対応する映像・音声コンテンツを表示部１１２や音声信号処理部１２４に送出する。例えば、放送データ制御部１２３がテレビ放送受信部１０５を介して受信したテレビ放送コンテンツデータに基づいて、出力制御部１２２は当該テレビ放送コンテンツデータの映像データを表示部１１２に表示する。テレビ放送コンテンツデータに音声データが含まれており、当該音声データを再生することが携帯端末１Ａに設定されている場合、出力制御部１２２は当該音声データを音声信号処理部１２４に送出し、スピーカＳＫにより再生する。
【００７４】
例えば、ユーザがハッシュタグ「＃Ａｋｙｏｋｕ」を指定した場合、出力制御部１２２はＡ局が現在放送している番組を表示部１１２や音声信号処理部１２４に送出する。ユーザがハッシュタグ「＃ｙａｋｙｕ」を指定した場合、出力制御部１２２は現在放送されている野球関連の番組の映像・音声コンテンツデータを表示部１１２や音声信号処理部１２４に送出する。具体的には、出力制御部１２２は、現在放送されている番組コンテンツの関連情報中にユーザに指定されたハッシュタグと一致或いは類似するもの存在するか、或いは、ユーザに指定されたハッシュタグに予め関連付けられた文字列が存在するか否か判定する。ユーザに指定されたハッシュタグに関連付けられた文字列が現在放送されている番組コンテンツの関連情報に存在すると判定された場合、出力制御部１２２は当該文字列と関連付けられた番組コンテンツデータの受信を開始し、当該コンテンツデータを表示部１１２や音声信号処理部１２４に送出する。
【００７５】
（ステップＳＴ１４）
サーバ４は、携帯端末１Ａから投稿閲覧リクエスト信号を受信したか否か判定する。
（ステップＳＴ１５）
サーバ４において、通信部４０２が投稿閲覧リクエスト信号を受信すると、制御部４０４の検索部４４４は投稿閲覧リクエスト信号に対応する投稿情報を検索する。具体的には、検索部４４４は投稿閲覧リクエスト信号に含まれるハッシュタグに基づいて投稿情報テーブル４３３を参照して、当該ハッシュタグに対応付けられた投稿情報を検索する。
【００７６】
（ステップＳＴ１６）
サーバ４の検索部４４４は、その検索結果である投稿情報を通信部４０２を介して携帯端末１Ａに送信する。
（ステップＳＴ１７）
携帯端末１Ａは、サーバ４から投稿情報を受信したか否か判定する。
（ステップＳＴ１８）
携帯端末１Ａがサーバ４から投稿情報を受信すると、出力制御部１２２は当該投稿情報を表示部１１２の投稿サービス表示画面に表示する。
【００７７】
上述のように、本実施例に係るコンテンツ及び投稿情報連携方法では、携帯端末１Ａでコンテンツを出力している状態において、当該コンテンツに関連するハッシュタグを表示することが設定されている場合、当該コンテンツに関連するハッシュタグを出力部（表示部１１２）に送出することができる。例えば、テレビ放送コンテンツを携帯端末１Ａの表示部１１２に表示している状態において、ユーザによりツイッターなどの投稿サービス表示画面を表示することが指定された場合、或いは、ユーザが投稿画面を編集している場合、又は、ユーザが投稿履歴を閲覧している場合、現在再生されているテレビ放送コンテンツに対応したハッシュタグを表示部１１２に表示することができる。現在再生されているテレビ放送コンテンツ以外の裏番組コンテンツなどの出力可能なテレビ放送コンテンツに応じたハッシュタグを表示部１１２に表示することもできる。従って、ユーザがテレビ放送コンテンツを携帯端末１Ａにて閲覧している状態において、当該テレビ放送コンテンツに関連する投稿情報をサーバ４に投稿する場合、ユーザは所定のハッシュタグを自ら携帯端末１Ａを操作して入力する必要はなく、表示部１１２に表示されているハッシュタグを指定することにより、投稿情報に関連するハッシュタグを携帯端末１Ａに自動的に入力することができる。
【００７８】
携帯端末１Ａは投稿ハッシュタグを表示部１１２に表示させることにより、登録されていないハッシュタグであって、外部のサーバ４などで発生したハッシュタグもコンテンツに応じて表示部１１２に表示することができる。また、携帯端末１Ａは投稿ハッシュタグのうち投稿数の多いものを優先的に表示部１１２に表示することができる。これにより、ユーザにより多く利用されているハッシュタグを表示部１１２に表示することができ、コンテンツに対して関連性の弱いハッシュタグが表示部１１２に表示されるのを防止することができる。ユーザが携帯端末１Ａを操作してハッシュタグを入力する場合、誤入力する虞があるが、本実施例では複数のハッシュタグの候補を表示部１１２に表示することができ、ユーザは単に所望のハッシュタグを表示部１１２上で指定すればよいため、ユーザによるハッシュタグの誤入力を防止することができる。
【００７９】
本発明は上述の実施例に限定されるものではない。図９に示すフローチャートは携帯端末１Ａとサーバ４により実現されるものとして説明したが、携帯端末１Ａが単独で図９のフローチャートを実施するようにしてもよい。この場合、携帯端末１Ａはサーバ４の制御部４０４と記憶部４０３とを具備するようにしてもよい。携帯端末１Ａにサーバ４の投稿情報テーブル４３３に格納されている全ての投稿情報を保存することは現実的に困難であり、サーバ４によって投稿情報に含まれる関連ワードと投稿ハッシュタグとを対応付けた集計結果を受信して、保存するようにしてもよい。例えば、サーバ４は投稿情報に含まれる関連ワード毎に同一の投稿情報に含まれているハッシュタグの数を集計し、その投稿数が予め決められた閾値以上の投稿ハッシュタグと関連ワードとを対応付けるテーブルを作成する。携帯端末１Ａは事前に当該テーブルをサーバ４から受信して、記憶部１０３に格納しておく。これにより、携帯端末１Ａに組み込まれた決定部４４３は投稿ハッシュタグ決定方法に従って、当該テーブルを参照して現在出力されているコンテンツに対応する投稿ハッシュタグを取得することができる。
【００８０】
上記の処理内容について具体的に説明する。携帯端末１Ａの操作判定部１２１は、ユーザがタッチパネル１０１の操作部１１１を操作してコンテンツ出力指示を行なったか否か判定する。携帯端末１Ａの出力制御部１２２は、操作判定部１２１の判定結果に基づいて、表示部１１２やスピーカＳＫにコンテンツを送出する。操作部１１１に受け付けられたユーザ操作に基づいて、出力制御部１２２はコンテンツに関連するハッシュタグを表示部１１２に表示させるか否か決定する。コンテンツに関連するハッシュタグを表示部１１２に表示させることを決定した場合、携帯端末１Ａに組み込まれた決定部４４３は表示部１１２やスピーカＳＫに出力しているコンテンツを示すコンテンツＩＤに基づいて、現在出力されているコンテンツに関連するハッシュタグを決定する。ここで、携帯電話１Ａの決定部４４３は登録ハッシュタグ決定方法や投稿ハッシュタグ決定方法を利用することができる。
【００８１】
携帯端末１Ａの決定部４４３は、上記のハッシュタグ決定方法に従って取得した登録ハッシュタグ又は投稿ハッシュタグを出力部（表示部１１２）に送出するハッシュタグとして決定する。携帯端末１Ａの出力制御部１２２は、ハッシュタグを表示部１１２の投稿サービス表示画面に表示する。このように、携帯端末１Ａの出力部（表示部１１２）に出力するハッシュタグを決定する決定部４４３は、携帯端末１Ａ又はサーバ４のいずれに搭載してもよい。
【００８２】
本実施例において、携帯端末１Ａのタッチパネル１０１は操作部１１１と表示部１１２により構成されると説明したが、これに限定されるものではない。例えば、表示部１１２がタッチセンサを搭載していないディスプレイであって、操作部１１１がマウス、キーボード、ボタン等の操作部材であってもよい。
【００８３】
本実施例に係る情報共有システム（又は、通信ネットワークシステム）、携帯端末１Ａ、及びサーバ４は内部にコンピュータシステムを有している。前述の処理はプログラム形式でコンピュータ読取可能な記録媒体に記録されており、当該プログラムをコンピュータシステムが読み出して実行するものである。ここで、「コンピュータシステム」はＣＰＵ、メモリ、ＯＳ（Ｏｐｅｒａｔｉｎｇ  Ｓｙｓｔｅｍ）、周辺機器等のハードウェアを包含する。また、「コンピュータシステム」はＷＷＷ（Ｗｏｒｌｄ  Ｗｉｄｅ  Ｗｅｂ）システムを利用して、ホームページ提供環境（或いは、ホームページ表示環境）をも包含する。
【００８４】
前述のフローチャートのステップを実現するプログラム、或いは、前述のフローチャートに記述された機能を実現するプログラムをコンピュータ読取可能な記録媒体に記録して、当該記録媒体からプログラムをコンピュータシステムに読み込ませて実行することにより、検索対象の投稿情報やハッシュタグの推定値を算出するようにしてもよい。尚、「コンピュータ読取可能な記録媒体」は、フレキシブルディスク、光磁気ディスク、ＲＯＭ、フラッシュメモリ等の書込可能な不揮発性メモリ、ＣＤ−ＲＯＭ等の可搬媒体、コンピュータシステムに内蔵されるハードディスク等の記憶装置を意味する。
【００８５】
また、「コンピュータ読取可能な記録媒体」は、インターネット等のネットワーク、電話回線、及び通信回線を介してプログラムを送受信するサーバやクライアントとなるコンピュータシステム内部の揮発性メモリ（例えば、ＤＲＡＭ（Ｄｙｎａｍｉｃ  Ｒａｎｄｏｍ  Ａｃｃｅｓｓ  Ｍｅｍｏｒｙ））のように一定時間プログラムを保持するものも包含する。上記のプログラムは、コンピュータシステムの記憶装置から伝送媒体を介して、或いは当該伝送媒体中を伝播する伝送波により、他のコンピュータシステムに伝送するようにしてもよい。ここで、「伝送媒体」はインターネット等のネットワーク、電話回線、及び通信回線のように情報伝送機能を有する媒体を意味する。また、上記プログラムは本実施例の機能の一部を実現するものであってもよい。或いは、本実施例の機能をコンピュータシステムに既に記録されているプログラムとの組合せで実現するような差分プログラム（又は、差分ファイル）に記述するようにしてもよい。
【００８６】
図１１は、本発明に係る情報処理システム（即ち、情報共有システム（ＷＥＢ）を介して携帯端末１Ａとサーバ４との間で実現されるコンテンツ及び投稿情報連携方法に相当する情報処理を実行するシステム）の最小構成を示すブロック図である。この情報処理システムは、所望のコンテンツデータを出力するとともに、ＷＥＢ上に投稿される投稿情報を出力する出力部と、出力可能コンテンツに応じて投稿情報を分類するための分類情報を出力部に出力する出力制御部とを具備する。尚、この情報処理システムは携帯端末１Ａとサーバ４とを具備するようにしたり、或いは、携帯端末１Ａのみで構成するようにしてもよい。
【００８７】
最後に、本発明は上記の実施例並びに変形例に限定されるものではなく、添付した特許請求の範囲により定義される技術的創作を逸脱しない設計例や変更例をも包含するものである。
【産業上の利用可能性】
【００８８】
本発明は、情報共有システム（ＷＥＢ）を利用して各種のコンテンツをダウンロードしたり、投稿情報を送受信する際に、当該コンテンツと投稿情報とを連携させて情報処理端末に表示することを可能とするものであり、スマートフォン、タブレットＰＣ、ノート型ＰＣなどの情報処理端末がインターネットを経由して各種のサーバやサイトと通信を行って所望の情報を相互に提供するような環境に適用されるものである。
【符号の説明】
【００８９】
１Ａ、１Ｂ    携帯端末
２    無線通信網
２Ａ  基地局
２Ｂ  交換局
３    インターネット
４    サーバ
５    テレビ局
６    送信アンテナ
７    記録メディア
８    外部機器
１０１  タッチパネル
１０２  制御部
１０３  記憶部
１０４  アンテナ
１０５  テレビ放送受信部
１０６  通信部
１０７  タイマー
１１１  操作部
１１２  表示部
１２１  操作判定部
１２２  出力制御部
１２３  放送データ制御部
１２４  音声信号処理部
１２５  登録部
１２６  投稿部
１３１  プログラム記憶部
１３２  一時記憶領域
１３３  コンテンツ記憶領域
１３４  投稿関連記憶領域
４０１  操作部
４０２  通信部
４０３  記憶部
４０４  制御部
４０５  計時部
４３１  放送コンテンツ情報テーブル
４３２  コンテンツ関連ハッシュテーブル
４３３  投稿情報テーブル
４３４  投稿ハッシュタグテーブル
４４１  登録部
４４２  集計部
４４３  決定部
４４４  検索部
ＳＫ    スピーカ
【図１】
2013133108.tif 000003
【図２】
2013133108.tif 000004
【図３】
2013133108.tif 000005
【図４】
2013133108.tif 000006
【図５】
2013133108.tif 000007
【図６】
2013133108.tif 000008
【図７】
2013133108.tif 000009
【図８】
2013133108.tif 000010
【図９】
2013133108.tif 000011
【図１０】
2013133108.tif 000012
【図１１】
2013133108.tif 000013
【国際調査報告】
2013133108.tif 000014
2013133108.tif 000015